(57)【特許請求の範囲】
【請求項１】
所要の箇所に固定できる固定体(1)と、
該固定体(1)に設けられ、釣竿を保持する手段を有する保持体(2)と、
前記固定体(1)と保持体(2)を連結しており、固定体(1)と保持体(2)の角度を調整できる角度調整具(3)と、
を備え、
前記保持体(2)の釣竿を保持する手段は、
山形鋼又は棒体で形成された基体(20)に取り付けられており、釣竿の基部側を保持する基部保持具(21)と釣竿の基端と先端の間を保持する先部保持具(22)と、
を備え、
前記角度調整具(3)は、
前記固定体(1)側に設けられており、合わせ面を有する台具(30)と、
前記保持体(2)側に設けられており、合わせ面を有する調整具(31)と、
前記台具(30)と調整具(31)のそれぞれの合わせ面を密着させて固定する締付具(39)と、を備えており、
前記調整具(31)は、前記基体(20)を通す取付孔(344)と該取付孔(344)に通した基体(20)を固定する止めネジを有し、調整具(31)に対する基体(20)の固定位置を任意に調整できるようにした、
釣竿立て具。
【請求項２】
基部保持具(21)及び先部保持具(22)は、取付孔(246)が設けられており、該取付孔(246)は、山形鋼を通す孔部(246a)と該孔部(246a)の中央部に棒体を通す孔部（246b）を備えており、
調整具(31)の基体(20)を通す取付孔(344)は、山形鋼を通す孔部(344a)と該孔部(344a)の中央部に棒体を通す孔部（344b）を備えている、
請求項１記載の釣竿立て具。
【請求項３】
角度調整具(3)の各合わせ面には、互いに噛み合う突条が設けられており、該突条は締付具のネジが通る通孔を中心として放射方向へ設けられている、
請求項１または２記載の釣竿立て具。
【請求項４】
角度調整具によって固定体と保持体の角度を調整して折り畳んだときに、前記角度調整具と保持体が固定体の長さの中に収まるようにしてある、
請求項１、２または３記載の釣竿立て具。
【請求項５】
固定体は、地面に立て込むことができる杭である、
請求項１、２、３または４記載の釣竿立て具。
【発明の詳細な説明】
【０００１】
【発明の属する技術分野】
本発明は、釣竿立て具に関するものである。更に詳しくは、地面などに固定できるようにした釣竿立て具において、固定した状態で、保持する釣竿の角度の調整が可能であり、持ち運びや保管をするときには、折り畳んでコンパクトにすることができる釣竿立て具に関する。
【０００２】
【従来技術】
河や湖あるいは海の岸辺から釣りをする場合には、釣竿を所定の角度で固定するための釣竿立て具が使用されている。このような釣竿立て具としては、例えば、特開平１１−１７８４９５号に記載されたものがある。
この公報に記載された釣竿立て具は、(1)先端部が尖った立て具本体と、釣竿の基端部を保持する受具と、釣竿の中間部を保持する受具を備えたもの、(2)先端部が尖った立て具本体と、釣竿の基端部を保持する受具と、釣竿の中間部を保持する受具と、立て具本体を支える脚体を備えたものがある。
これらは、立て具本体を所定の角度で斜めに設けて、釣竿を同じ角度で保持することができる。
【０００３】
【発明が解決しようとする課題】
しかし、前記したような従来の釣竿立て具には、次のような問題があった。
すなわち、従来のような釣竿立て具においては、立て具本体を地面と所定の角度をもって下部を地面に打ち込んで所定の角度に設定する。また、脚体を有するものは、脚体を立てて立て具本体を支えるようにして設置される。そして、立て具本体の二箇所に設けられている受具によって釣竿を保持するようになっている。
【０００４】
このため、釣竿立て具を一旦固定した後で釣竿の角度を変えようとしても、立て具本体の角度を変えるためには地面から引き抜かなければならないので、釣竿の角度の調整は容易にはできなかった。
また、立て具本体は、直接地面に立て込む構造であるため、釣竿を支える長さを確保するために相当の長さを有している。従って、持ち運びや保管時において分解してもコンパクトにすることができず、嵩張るので取り扱いにも不便であった。
【０００５】
（本発明の目的）
本発明の目的は、地面などに固定できるようにした釣竿立て具において、固定した状態で、保持する釣竿の角度の調整が可能な釣竿立て具を提供することである。
本発明の他の目的は、地面などに固定できるようにした釣竿立て具において、持ち運びや保管をするときには、折り畳んでコンパクトにすることができる釣竿立て具を提供することである。
【０００６】
【課題を解決するための手段】
前記目的を達成するために講じた本発明の手段は次のとおりである。
第１の発明にあっては、
所要の箇所に固定できる固定体と、
該固定体に設けられ、釣竿を保持する手段を有する保持体と、
前記固定体と保持体を連結しており、固定体と保持体の角度を調整できる角度調整具と、
を備え、
前記保持体の釣竿を保持する手段は、
山形鋼又は棒体で形成された基体に取り付けられており、釣竿の基部側を保持する基部保持具と釣竿の基端と先端の間を保持する先部保持具と、
を備え、
前記角度調整具は、
前記固定体側に設けられており、合わせ面を有する台具と、
前記保持体側に設けられており、合わせ面を有する調整具と、
前記台具と調整具のそれぞれの合わせ面を密着させて固定する締付具と、
を備えており、
前記調整具は、前記基体を通す取付孔と該取付孔に通した基体を固定する止めネジを有し、調整具に対する基体の固定位置を任意に調整するできるようにした、
釣竿立て具である。
【０００７】
第２の発明にあっては、
基部保持具及び先部保持具は、取付孔が設けられており、該取付孔は、山形鋼を通す孔部と該孔部の中央部に棒体を通す孔部を備えており、
調整具の基体を通す取付孔は、山形鋼を通す孔部と該孔部の中央部に棒体を通す孔部を備えている、
第１の発明に係る釣竿立て具である。
【０００８】
第３の発明にあっては、
角度調整具の各合わせ面には、互いに噛み合う突条が設けられており、該突条は締付具のネジが通る通孔を中心として放射方向へ設けられている、
第１または第２の発明に係る釣竿立て具である。
【０００９】
第４の発明にあっては、
角度調整具によって固定体と保持体の角度を調整して折り畳んだときに、前記角度調整具と保持体が固定体の長さの中に収まるようにしてある、
第１、２または３の発明に係る釣竿立て具である。
【００１０】
第５の発明にあっては、
固定体は、地面に立て込むことができる杭である、
第１、２，３または第４の発明に係る釣竿立て具である。
【００１１】
（削除）
【００１２】
（削除）
【００１３】
（削除）
【００１４】
（削除）
【００１５】
（削除）
【００１６】
（削除）
【００１７】
（作用）
本発明に係る釣竿立て具は、固定体を、例えば岸辺の地面などの所要の箇所に固定し、保持体を角度調整具により適当な角度に調整する。そして、保持体によって釣竿を保持する。
その後、釣竿の角度を変えたいときには、固定体を固定したままで、角度調整具により保持体の角度を調整すれば、保持体に保持されている釣竿の角度も調整できる。
【００１８】
保持体の、釣竿を保持する手段が基部保持具と先部保持具を備えているものは、釣竿の基部を基部保持具で保持し、また、釣竿の基端と先端の間を先部保持具で保持することによって、二点で保持することになり、釣竿の無駄のない確実な保持ができる。
【００１９】
角度調整具が、台具と、調整具と、台具と調整具をそれぞれの合わせ面を密着させて固定する締付具とを備えており、各合わせ面には、互いに噛み合う凹凸部が設けられているものは、合わせ面の凹凸部を所定の角度位置で噛み合わせて締付具で合わせ面を密着させることにより、一旦設定された固定体と保持体との角度は、締付具を緩めない限り、容易には動かない。
【００２０】
角度調整具が、台具と、基部保持具または先部保持具と、台具と基部保持具または先部保持具とをそれぞれの合わせ面を密着させて固定する締付具とを備えており、各合わせ面には、互いに噛み合う凹凸部が設けられているものは、合わせ面の凹凸部を所定の角度位置で噛み合わせて締付具で合わせ面を密着させることにより、一旦設定された固定体と保持体との角度は、締付具を緩めない限り、容易には動かない。
また、保持体に設けられる基部保持具または先部保持具に、釣竿を保持する機能と、保持体の角度を調整する機能を持たせると、それぞれの機能を別々の部材に持たせる場合と比べて、部品点数を少なくすることができ、構造がシンプルになり、製造するコストも安価になる。
【００２１】
凹凸部は、突条が締付具のネジが通る通孔を中心として放射方向へ設けられているものは、各突条の方向は、ネジまたは通孔を中心とする回転方向に対して本質的に直角方向となるので、突条の噛み合い部分で、より確実に回転力を止めることができる。
【００２２】
基部保持具または先部保持具あるいは台具または調整具に、山形鋼を取り付けるための取付部と、棒体を取り付けるための取付部が設けられているものは、固定体や保持体の構成部材として、山形鋼でも棒体でも任意のものを使用できるので、便利である。また、例えば、地面が固いので棒体を取り付けるとか、地面が軟らかいので固定力の強い山形鋼にするなど、固定するところの条件に合わせて、山形鋼と棒体を使い分けることもできる。
【００２３】
角度調整具によって固定体と保持体の角度を調整して折り畳んだときに、角度調整具と保持体が固定体の長さの中に収まるようにしてあるものは、部品のうちで最も長い固定体の中に収めることで、釣竿立て具全体の長さを最小にすることができ、最もコンパクトに折り畳むことができる。
【００２４】
本発明に係る角度調整具は、台具と調整具のそれぞれの合わせ面の凹凸部を所定の角度位置で噛み合わせて締付具で合わせ面を密着させることにより、固定体と保持体との角度を、容易には動かないようにすることができる。
【００２５】
【発明の実施の形態】
本発明を図面に示した実施の形態に基づき更に詳細に説明する。
図１は本発明に係る釣竿立て具の第１の実施の形態を示す斜視図、
図２は角度調整具の台具の構造を示す斜視図、
図３は角度調整具の調整具の構造を示す斜視図、
図４は釣竿受具の構造を示す斜視図、
図５は図４に示す釣竿受具の断面図である。
【００２６】
符号Ａ１は釣竿立て具で、固定体である杭１と、保持体２及び角度調整具３を備えている。杭１と、保持体２及び角度調整具３は、金属製（例えば、ステンレス鋼、鉄、鋼、アルミニウム、真鍮など）である。なお、釣竿立て具Ａの材料としては、強度が十分であれば合成樹脂を採用することもでき、特に限定するものではない。
杭１は、所要長さの山形鋼の下端部を尖らせ、上端部を長手方向と直角方向に切断して形成されている。
保持体２は、杭１よりやや短い山形鋼の両端部を長手方向と直角方向に切断して形成された基体２０を有している。基体２０の両端部には、釣竿を保持する手段を構成する基部保持具２１と先部保持具２２が取り付けてある。
【００２７】
図４を参照して、先部保持具２２の構造を説明する。
先部保持具２２は、固定ブロック２４と受体２５を備えている。固定ブロック２４は、上面２４０が凹んで形成されており、その中央底部は断面円弧状に突出して形成されている。この突出した部分には、前記した受体２５が固着されている。受体２５は、両側の中間部が内側へやや折り曲げられたＶ字状に形成されている。また、受体２５は鋼製であり、十分な弾性を備えている。下面２４１の中央部も下方へ突出して形成されている。
【００２８】
互いに平行な前面２４２と後面２４３間には、正面視でＶ字形の取付孔２４６が設けられている。取付孔２４６は、山形鋼を通す孔部２４６ａの中央部に六角棒を通す孔部２４６ｂを設けた構造である。なお、六角棒を通す孔部２４６ｂには、丸棒を通すこともできる。
互いに平行な側面２４４、２４５には、孔部２４６ａへ貫通するネジ孔２４７がそれぞれ二箇所に同じ高さで設けられている。ネジ孔２４７の中間部下方には、同じく孔部２４６ａへ貫通する取着孔２４８がそれぞれ設けられている。
【００２９】
また、前面２４２の両側には、取着孔２４８へ貫通するネジ孔２４９が設けられている。更に、下面２４１の突出した部分の両側には、孔部２４６ｂへ貫通するネジ孔２５０がそれぞれ二箇所に設けられている。
なお、図示はしていないが、各ネジ孔２４７、２４９、２５０には、止めネジがネジ込まれる。これらの止めネジを締め付けることにより、後述するように、孔部２４６ａに挿通された山形鋼である基体２０を固定し、孔部２４６ｂに挿通された六角棒または丸棒を固定することができる。六角棒を固定した場合は、軸周方向に回転しないので、固定力により優れている。また、止めネジは取着孔２４８に挿通された発信機用の取着ロッド４０を固定することができる。
【００３０】
次に、前記基部保持具２１の構造を図１を参照して説明する。
基部保持具２１は、固定ブロック２４ａと受体２５ａを備えている。固定ブロック２４ａは、上面２４０が凹んで形成されており、その中央底部は断面円弧状に突出して形成されている。上面２４０には、前記した受体２５ａが固着されている。受体２５ａは、釣竿の基部側が入る内径を有する円筒体２５１の後端部の開口部に横方向に停止板２５２を設けた構造である。下面２４１の中央部も下方へやや突出して形成されている。
【００３１】
互いに平行な前面２４２と後面２４３間には、前記先部保持具２２の固定ブロック２４と同じ構造の取付孔２４６が設けられている。
固定ブロック２４ａの上部両端部からやや内方に設けられ、互いに平行な側面２４４、２４５には、孔部２４６ａへ貫通するネジ孔２４７がそれぞれ二箇所に同じ高さで設けられている。
【００３２】
また、下面２４１の突出した部分の両側には、孔部２４６ｂへ貫通するネジ孔２５０（図１では見えない）がそれぞれ二箇所に設けられている。
なお、図示はしていないが、各ネジ孔２４７、２５０には、止めネジがネジ込まれる。
これらの止めネジを締め付けることにより、孔部２４６ａに挿通された山形鋼である基体２０を固定し、後述するように孔部２４６ｂに挿通された六角棒または丸棒を固定することができる。
【００３３】
杭１と保持体２は、角度調整具３によって連結されており、杭１を地面に立て込んで固定した状態での保持体２の角度の調整が一定の範囲内で可能である。
角度調整具３の構造を、図１、図２、図３を参照して説明する。
角度調整具３は、杭１に固定される台具３０と、保持体２の基体２０に固定される調整具３１及び締付具３９を備えている。
【００３４】
台具３０は、固定ブロック３２と係着体３３を備えている。固定ブロック３２は、凹んで形成された側面３２０を備えており、その中央部は断面円弧状に突出して形成されている。
側面３２０の反対側には、互いに直角に交わる側面３２１、３２２を備えている。ほぼＬ字形である上面３２３のほぼ中央部には、前記係着体３３が固着されている。係着体３３の構造は、後で詳述する。
【００３５】
下面３２４には、上面３２３まで貫通はしないが近傍まで延ばして設けられた底面視でＶ字形の取付孔３２６が設けられている。取付孔３２６の構造は、前記固定ブロック２４、２４ａの取付孔２４６と同じであり、山形鋼を通す孔部３２６ａの中央部に六角棒または丸棒を通す孔部３２６ｂを設けた構造である。
また、側面３２１、３２２の角部寄りには、孔部３２６ｂへ貫通するネジ孔３２５がそれぞれ二箇所に設けられている。
なお、図示はしていないが、各ネジ孔３２５には、止めネジがネジ込まれる。
これらの止めネジを締め付けることにより、孔部３２６ａに挿通された山形鋼である杭１を固定し、孔部３２６ｂに挿通された六角棒または丸棒を固定することができる。
【００３６】
係着体３３は、係着部３３１と首部３３０で構成されており、係着部３３１は首部３３０によって固定ブロック３２の上面３２３に固着されている。
係着部３３１は、所要の厚みを有する円板状に形成されており、中心部には円形の貫通孔３３２が設けられている。係着部３３１の表面側には、円形の合わせ面３３３が設けられている。合わせ面３３３には、所要数の突条３３３ａ（断面山形状）が貫通孔３３２を中心として放射方向に設けられている。
【００３７】
調整具３１は、固定ブロック３４と係着体３５を備えている。固定ブロック３４は、前記した基部保持具２１の固定ブロック２４ａと同様の構造を有している。固定ブロック３４は上面３４０が凹んで形成されており、その中央底部は断面円弧状に突出して形成されている。下面３４１の中央部も下方へ突出して形成されている。
互いに平行な前面３４２と後面３４３間には、基部保持具２１の固定ブロック２４ａの取付孔２４６と同じ構造の取付孔３４４が設けられている。取付孔３４４は、山形鋼を通す孔部３４４ａの中央部に六角棒を通す孔部３４４ｂを設けた構造である。
【００３８】
固定ブロック３４の上部両端部からやや内方に設けられ、互いに平行な側面３４５、３４６には、孔部３４４ａへ貫通するネジ孔３４７がそれぞれ二箇所に同じ高さで設けられている。
また、下面３４１の両側には、孔部３４４ｂへ貫通するネジ孔３４８がそれぞれ二箇所に設けられている。
なお、図示はしていないが、各ネジ孔３４７、３４８には、止めネジがネジ込まれる。
これらの止めネジを締め付けることにより、孔部３４４ａに挿通された山形鋼である基体２０を固定し、後述するように孔部３４４ｂに挿通された六角棒または丸棒を固定することができる。また、固定ブロック３４に、取着ロッド４０を取着する取着孔を設けることもできる。
【００３９】
係着体３５は、前記した台具３０の係着体３３と同様の構造である。係着体３５は、係着部３５１と首部３５０で構成されており、係着部３５１は首部３５０によって固定ブロック３４の下面３４１に固着されている。
係着部３５１は、所要の厚みを有する円板状に形成されており、中心部には円形の貫通孔３５２が設けられている。係着部３５１の表面側には、円形の合わせ面３５３が設けられている。合わせ面３５３には、所要数の突条３５３ａ（断面山形状）が貫通孔３５２を中心として放射方向に設けられている。
【００４０】
角度調整具３は、突条３３３ａと突条３５３ａを噛み合わせて各合わせ面３３３、３５３を接面させ、前記した締付具３９によって締め付けて圧着され、所要の角度をもって固定される。
締付具３９は、ボルト状のネジ部（図示省略、参考：後述図１２のネジ部３９２）と、ネジ部側の端部がネジ部より径大の軸部３９０と、軸部３９０の端部に軸線方向と直角に設けられ、長手方向にスライドできるように設けられたハンドルピン３９１を有している。
【００４１】
締付具３９は、台具３０の締付部３３１の裏面側からネジ部を貫通孔３３２に挿通し、調整具３１の締付部３５１のネジ孔３５２に螺合する。そして、締付具３９を更に回して締め付ければ固定される。なお、杭１と保持体２の角度を変える場合には、締付具３９を前記と逆に回して締め付けを緩め、突条３３３ａ、３５３ａの噛み合いを外して角度を調整し、再度締付具３９を回して締め付ければよい。
【００４２】
角度調整具３の台具３０は、杭１の上端部に取付孔３２６（孔部３２６ａ）を嵌め入れ、前記したように止めネジを締めて固定される。また、調整具３１は、保持体２の基体２０のうち、両端部に設けられる基部保持具２１と先部保持具２２との間の部分に取付孔３４４（孔部３４４ａ）を嵌め入れ、前記したように止めネジを締めて固定される。
【００４３】
（作  用）
図６は発信機を取り付ける取付具の態様を示す説明図、
図７は図１に示す釣竿立て具の使用状態を示す説明図である。
図１ないし図７を参照して、本実施の形態に係る釣竿立て具の使用方法及び作用を説明する。
【００４４】
釣竿立て具Ａ１を使用する際には、図１の折り畳んだ状態から、締付具３９を回して緩め、杭１と保持体２を適当な角度にして、杭１を河や湖の岸辺の地面に立てる。地面が固い場合など、必要に応じて、杭１を台具３０から外して槌などを使って地面に打ち込むようにしてもよい。なお、杭１や基体２０として、山形鋼でも棒体でも任意のものを使用できるので、地面が固い場合は、土との接触面積が狭く打ち込みやすい棒体を取り付けるとか、地面が軟らかい場合は、土との接触面積が広く固定力の強い山形鋼にするなど、固定するところの条件に合わせて、固定体（杭）としての山形鋼と棒体を使い分けることが可能である。
基体２０に対する調整具３１の固定位置を任意に調整する。図７では、基体２０のほぼ中間部に固定されている。保持体２を動かして適当な角度に設定し、締付具３９を回して締め付けて杭１と保持体２を固定する。
【００４５】
突条３３３ａ、３５３ａは、締付具３９のネジが通る貫通孔３３２及びネジ孔３５２を中心として放射方向へ設けられた構造であるので、各突条３３３ａ、３５３ａの方向は、貫通孔３３２及びネジ孔３５２を中心とする回転方向に対して直角方向となるので、突条３３３ａ、３５３ａの噛み合い部分で、より確実に回転力を止めることができる。これにより、一旦設定された杭１と保持体２との角度は、締付具３９を緩めない限り、容易には動かず、固定力に優れている。
【００４６】
次に、保持体２の先部保持具２２に発信機５を次のようにして取り付ける。
先部保持具２２の固定ブロック２４の任意側の取着孔２４８に取着ロッド４０を差し込み、止めネジで固定する。取着ロッド４０の先端部側は上方へ曲げられており、取着管４が下部の縦管４１を嵌め入れて水平方向に回転可能に取り付けられている。取着管４の方向は、縦管４１の側部を貫通して設けられた止めネジ４２で固定することにより任意に設定できる。
【００４７】
そのほか、取着ロッド４０には、図６に示すように、上部が開口したボックス４ａや面ファスナーを張った台板４ｂなどを取り付けることができる。
発信機５を取着管４に取り付ける場合は、発信機５にクリップ（図示省略）を設ける。発信機５をボックス４ａに取り付ける場合は、特に何も設けずにそのまま入れるようにする。また、発信機５を台板４ｂに取り付ける場合は、発信機５に面ファスナーの他方を設ける。
【００４８】
保持体２の基部保持具２１と先部保持具２２に釣竿９を載せて保持させる。基部保持具２１の円筒体２５１には、釣竿９の基端部が差し込まれ、先部保持具２２の受体２５には釣竿９の基端部よりやや前方側が保持され、いわば二点で保持されるので、確実に釣竿９を保持できる。また、受体２５によれば、釣竿９を両側の傾斜部分で隙間なく、しかも材料の弾性によってきつく保持できるので、釣竿９が転がることがなく安定しやすい。
最後に、釣竿９に設けられているリール８から繰り出される釣り糸（テグス）を発信機５のトリガー具５０に引っ掛ける。
【００４９】
使用中は、必要に応じて、角度調整具３を操作することにより、杭１を地面に立てたままで、釣竿９の角度を調整することができる。
そして、使用後には、釣竿９を取り外し、杭１を地面から抜いて、図１に示す状態に折り畳む。これにより、全体がコンパクトになり、運搬や保管に便利である。
【００５０】
図８は本発明に係る釣竿立て具の第１の参考例を示す斜視図、
図９は図８に示す釣竿立て具の使用状態を示す説明図である。
図面において、前記した釣竿立て具Ａ１と同一または同等箇所には、同一の符号を付して示している。また、構造について、重複する説明は省略する。
釣竿立て具Ａ２は、前記した釣竿立て具Ａ１から先部保持具２２を取り除き、角度調整具３ａの調整具３６に受体２５を設けた構造である。なお、調整具３６の固定ブロック３６０の上部側の構造は、前記した先部保持具２２の固定ブロック２４と同じ構造である。
【００５１】
これによると、保持体２ａに設けられる先部保持具としての調整具３６に、釣竿９を保持する機能と、保持体２ａの角度を調整する機能を持たせているので、それぞれの機能を別々の部材に持たせる場合と比べて、部品点数を少なくすることができ、構造がシンプルになり、製造するコストも安価になる。その他の作用については、釣竿立て具Ａ１と同様であるので、説明は省略する。
【００５２】
図１０は本発明に係る釣竿立て具の第２の参考例を示す斜視図である。
図面において、前記した釣竿立て具Ａ１、Ａ２と同一または同等箇所には、同一の符号を付して示している。また、構造について、重複する説明は省略する。
釣竿立て具Ａ３は、角度調整具３ｂの台具３７が、棒状（丸棒、角棒）の杭１ａの専用型であり、山形綱は取り付けることができない。本実施の形態では、杭１ａは六角棒状である。
【００５３】
台具３７は、有底円筒状の取着体３７０と、取着体３７０の側部を貫通して螺合してあるネジ部（図示省略、参考：後述図１２のネジ部３７４）を有する締付具３７１を有している。また、調整具３６には、保持体２ａを構成する六角棒状の基体２３が取り付けられている。
なお、作用については、杭１ａの取り付け構造が違うだけで、他の作用は前記した釣竿立て具Ａ２と同様であるので、説明は省略する。
【００５４】
図１１は本発明に係る釣竿立て具の第２の実施の形態を示す斜視図である。
図面において、前記した釣竿立て具Ａ１と同一または同等箇所には、同一の符号を付して示している。また、構造について、重複する説明は省略する。
釣竿立て具Ａ４に使用されている杭１ｂは、下端部が尖った丸棒状である。また、保持体２ｃに使用されている基体２６も、同じく丸棒状である。
【００５５】
角度調整具３ｃの係着体３３ｃは、台具３０の側面３２０の中央部（突出した部分）に設けられている。また、取付孔３２６は、上面側が塞がっている前記角度調整具３の取付孔３２６と相違して、固定ブロック３２を貫通している。
この構造によれば、図１１に示すように折り畳んだときに、角度調整具３ｃの取付孔３２６の出入口側に邪魔になるものがない。従って、取付孔３２６を貫通する杭１ｂを自由にスライドさせることができる。
また、杭１ｂの上端部には径大に形成したストッパー１００が設けられている。これにより、杭１ｂが、尖った側を下にして、予期せず抜け落ちてしまうことを防止できるので、安全性が高い。
【００５６】
これにより、杭１ｂの有効長さの調整が、一定の範囲内で可能であるとともに、杭１ｂの長さの中に釣竿立て具Ａ４の全体を収めることができ、コンパクトにすることができる。
また、釣竿立て具Ａ４を地面に立て込むときには、取付孔３２６から杭１ｂの上端部を突出させ、突出部をプラスチックハンマーなどで叩くようにすれば、角度調整具３ｃを壊してしまうことはない。従って、釣竿立て具Ａ４の立て込みの度に杭を取り外す必要がなく、手間を低減できる。
なお、他の作用については、前記した釣竿立て具Ａ１と同様であるので、説明は省略する。
【００５７】
図１２は角度調整具の他の実施の形態を示す正面視説明図、
図１３は図１２に示す角度調整具の側面視説明図である。
図１４は図１２に示す角度調整具の調整具を回動させて杭をスライドさせた状態を示す側面視説明図である。
角度調整具３ｄは、台具３７ａと調整具３６ａ及び締付具３９ａを備えている。
台具３７ａは、ほぼ円筒形状の取着体３７０ａを備えている。取着体３７０ａの側部にはネジ部３７４を貫通させて螺合して締付具３７１が設けられている。
取着体３７０ａの側部には、一端部から突出するようにして、係着部３７２が設けられている。
係着部３７２は、前記した台具３０の係着部３３１と同様の構造であり、合わせ面３７３を備えている。締付具３９ａは、前記した締付具３９と同様の構造である。
【００５８】
調整具３６ａは、前記した台具３１の固定ブロック３４と同様の構造の固定ブロック３６０を備えている。固定ブロック３６０の上面３６１には、受体２５ｂが取り付けられている。
受体２５ｂは、ほぼＶ字形に形成されており、両側部を内側へ緩やかに湾曲させた構造である。また、固定ブロック３６０の下部に設けられている係着部３６２は、前記した調整具３１の係着部３５１と同様の構造である。係着部３６２は、一方側へ大きくずらして設けられており、合わせ面３６３は外側に設けられている。なお、固定ブロック３６０に、取着ロッド４０を取着する取着孔を設けることもできる。
【００５９】
角度調整具３ｄは、図１２に示すように、係着部３６２が一方側へずれて偏っており、取着体３７０ａを貫通する杭１ａのスライドの邪魔にならない。これにより、杭１ａの有効長さの調整が、一定の範囲内で可能である。
また、図１４に示すように、調整具３６ａを回動させれば、更に杭１ａをスライドさせることができるので、杭１ａの長さの中に釣竿立て具の全体を収めることができ、よりコンパクトにすることができる。
なお、他の作用については、前記した角度調整具３ｂと同様であるので、説明は省略する。
【００６０】
本明細書で使用している用語と表現は、あくまで説明上のものであって限定的なものではなく、前記用語、表現と等価の用語、表現を除外するものではない。
また、本発明は図示されている実施の形態に限定されるものではなく、技術思想の範囲内において種々の変形が可能である。
【００６１】
【発明の効果】
本発明は前記構成を備え、次の効果を有する。
（ａ）本発明に係る釣竿立て具は、固定体を、例えば岸辺の地面などの所要の箇所に固定し、保持体を角度調整具により適当な角度に調整することにより、保持体で保持した釣竿の角度を調整することができる。
また、釣竿の角度を変えたいときには、固定体を固定したままで、角度調整具により保持体の角度を調整すれば、保持体に保持されている釣竿の角度も調整できる。
【００６２】
（ｂ）保持体の、釣竿を保持する手段が基部保持具と先部保持具を備えているものは、釣竿の基部を基部保持具で保持し、また、釣竿の基端と先端の間を先部保持具で保持することによって、二点で保持することになり、釣竿の無駄のない確実な保持ができる。
【００６３】
（ｃ）角度調整具が、台具と、調整具と、台具と調整具をそれぞれの合わせ面を密着させて固定する締付具とを備えており、各合わせ面には、互いに噛み合う凹凸部が設けられているものは、合わせ面の凹凸部を所定の角度位置で噛み合わせて締付具で合わせ面を密着させることにより、一旦設定された固定体と保持体との角度は、締付具を緩めない限り、容易には動かない。
【００６４】
（ｄ）角度調整具が、台具と、基部保持具または先部保持具と、台具と基部保持具または先部保持具とをそれぞれの合わせ面を密着させて固定する締付具とを備えており、各合わせ面には、互いに噛み合う凹凸部が設けられているものは、合わせ面の凹凸部を所定の角度位置で噛み合わせて締付具で合わせ面を密着させることにより、一旦設定された固定体と保持体との角度は、締付具を緩めない限り、容易には動かない。
【００６５】
（ｅ）凹凸部は、突条が締付具のネジが通る通孔を中心として放射方向へ設けられているものは、各突条の方向は、ネジまたは通孔を中心とする回転方向に対して本質的に直角方向となるので、突条の噛み合い部分で、より確実に回転力を止めることができる。
【００６６】
（ｆ）基部保持具または先部保持具あるいは台具または調整具に、山形鋼を取り付けるための取付部と、棒体を取り付けるための取付部が設けられているものは、固定体や保持体の構成部材として、山形鋼でも棒体でも任意のものを使用できるので、便利である。また、例えば、地面が固いので棒体を取り付けるとか、地面が軟らかいので固定力の強い山形鋼にするなど、固定するところの条件に合わせて、山形鋼と棒体を使い分けることもできる。
【００６７】
（ｇ）角度調整具によって固定体と保持体の角度を調整して折り畳んだときに、角度調整具と保持体が固定体の長さの中に収まるようにしてあるものは、部品のうちで最も長い固定体の中に収めることで、釣竿立て具全体の長さを最小にすることができ、最もコンパクトに折り畳むことができる。
【００６８】
（ｈ）本発明に係る角度調整具は、台具と調整具のそれぞれの合わせ面の凹凸部を所定の角度位置で噛み合わせて締付具で合わせ面を密着させることにより、固定体と保持体との角度を、容易には動かないようにすることができる。
【図面の簡単な説明】
【図１】  本発明に係る釣竿立て具の第１の実施の形態を示す斜視図。
【図２】  角度調整具の台具の構造を示す斜視図。
【図３】  角度調整具の調整具の構造を示す斜視図。
【図４】  釣竿受具の構造を示す斜視図。
【図５】  図４に示す釣竿受具の断面図。
【図６】  発信機を取り付ける取付具の態様を示す説明図。
【図７】  図１に示す釣竿立て具の使用状態を示す説明図。
【図８】  本発明に係る釣竿立て具の第１の参考例を示す斜視図。
【図９】  図８に示す釣竿立て具の使用状態を示す説明図。
【図１０】  本発明に係る釣竿立て具の第２の参考例を示す斜視図。
【図１１】  本発明に係る釣竿立て具の第２の実施の形態を示す斜視図。
【図１２】  角度調整具の他の実施の形態を示す正面視説明図。
【図１３】  図１２に示す角度調整具の側面視説明図。
【図１４】  図１２に示す角度調整具の調整具を回動させて杭をスライドさせた状態を示す側面視説明図。
【符号の説明】
Ａ１  釣竿立て具
１  杭
２  保持体
２０  基体
２２  先部保持具
２４  固定ブロック
２４０  上面
２４１  下面
２４２  前面
２４３  後面
２４６  取付孔
２４６ａ  孔部
２４６ｂ  孔部
２４４、２４５  側面
２４７  ネジ孔
２４８  取着孔
２４９  ネジ孔
２５０  ネジ孔
２５  受体
２１  基部保持具
２４ａ  固定ブロック
２５ａ  受体
２５１  円筒体
２５２  停止板
３  角度調整具
３０  台具
３２  固定ブロック
３２０  側面
３２１、３２２  側面
３２３  上面
３２４  下面
３２５  ネジ孔
３２６  取付孔
３２６ａ  孔部
３２６ｂ  孔部
３３  係着体
３３１  係着部
３３０  首部
３３２  貫通孔
３３３  合わせ面
３３３ａ  突条
３１  調整具
３４  固定ブロック
３４０  上面
３４１  下面
３４２  前面
３４３  後面
３４４  取付孔
３４４ａ  孔部
３４４ｂ  孔部
３４５、３４６  側面
３４７  ネジ孔
３４８  ネジ孔
３５  係着体
３５１  係着部
３５０  首部
３５２  貫通孔
３５３  合わせ面
３５３ａ  突条
３９  締付具
３９０  軸部
３９１  ハンドルピン
Ａ２  釣竿立て具
３ａ  角度調整具
３６  調整具
２５  受体
３６０  固定ブロック
Ａ３  釣竿立て具
１ａ  杭
２ｂ  保持体
２３  基体
３ｂ  角度調整具
３７  台具
３７０  取着体
３７１  締付具
Ａ４  釣竿立て具  １ｂ  杭
１００  ストッパー
２ｃ  保持体
２６  基体
３ｃ  角度調整具
３３ｃ  係着体
３ｄ  角度調整具
３６ａ  調整具
３６１  上面
３６２  係着部
３６３  合わせ面
３７ａ  台具
３７０ａ  取着体
３７２  係着部
３７３  合わせ面
３９ａ  締付具
３９２  ネジ部
２５ｂ  受体
４  取着管
４０  取着ロッド
４１  縦管
４２  止めネジ
４ａ  ボックス
４ｂ  台板
５  発信機
５０  トリガー具
【図１】
0004567897.tif 000002
【図２】
0004567897.tif 000003
【図３】
0004567897.tif 000004
【図４】
0004567897.tif 000005
【図５】
0004567897.tif 000006
【図６】
0004567897.tif 000007
【図７】
0004567897.tif 000008
【図８】
0004567897.tif 000009
【図９】
0004567897.tif 000010
【図１０】
0004567897.tif 000011
【図１１】
0004567897.tif 000012
【図１２】
0004567897.tif 000013
【図１３】
0004567897.tif 000014
【図１４】
0004567897.tif 000015